(57)【要約】【課題】光コネクタの清掃作業が容易であり、かつ光コネクタを確実に清浄化できる光コネクタ接続装置の提供。【解決手段】第２の光コネクタ２０を保持するコネクタ保持部２と、第１の光コネクタ１０の接続端面を清掃可能な第１の清掃機構３と、第２の光コネクタ２０の接続端面を清掃可能な第２の清掃機構４と、コネクタ保持部２および清掃機構３、４を支持する支持体５と、第２の光コネクタ２０が第１の光コネクタ１０に対し変位するようにコネクタ保持部２を移動させるとともに、これに連動して第１の清掃機構３を移動させる移動機構６と、を備えた光コネクタ接続装置１。移動機構６は、コネクタ保持部２の移動によって第２の光コネクタ２０を第２の清掃機構４により清掃可能な位置に配置するとともに、第１の清掃機構３を、第１の光コネクタ１０を清掃可能な位置に配置可能である。【選択図】図１
2010186041.tif 000002
【特許請求の範囲】
【請求項１】
第１の光コネクタ（１０）と第２の光コネクタ（２０）とを接続する装置であって、
前記第２の光コネクタを保持するコネクタ保持部（２、８２）と、
前記第１の光コネクタの接続端面を清掃可能な第１の清掃機構（３）と、
前記第２の光コネクタの接続端面を清掃可能な第２の清掃機構（４）と、
前記コネクタ保持部、第１および第２の清掃機構を支持する支持体（５、８５）と、
前記第２の光コネクタが第１の光コネクタに対し変位するように前記コネクタ保持部を移動させるとともに、これに連動して前記第１の清掃機構を移動させる移動機構（６、８６）と、を備え、
前記移動機構は、前記コネクタ保持部の移動によって第２の光コネクタを第２の清掃機構により清掃可能な位置に配置するとともに、前記第１の清掃機構を、第１の光コネクタを清掃可能な位置に配置可能であることを特徴とする光コネクタ接続装置（１、８１）。
【請求項２】
前記移動機構は、前記支持体（５）に形成されたガイド部（５５）に沿って前記コネクタ保持部（２）を移動させる操作部（６０）であり、
前記ガイド部は、前記第２の光コネクタを第２の清掃機構により清掃可能な位置に導くとともに、前記第１の清掃機構を、第１の光コネクタを清掃可能な位置に導くことができるように形成されていることを特徴とする請求項１に記載の光コネクタ接続装置（１）。
【請求項３】
前記ガイド部は、前記コネクタ保持部に形成された案内凸部（１２）が嵌合するスリット状に形成され、
前記操作部は、前記支持体に対するスライド移動により前記案内凸部を前記ガイド部に沿って移動可能に形成されていることを特徴とする請求項２に記載の光コネクタ接続装置。
【請求項４】
前記ガイド部は、前記第１の光コネクタの光軸（１０ａ）方向に沿う第１部分（５６）と、前記光軸方向に対し傾斜する第２部分（５７）と、前記光軸方向に平行な第３部分（５８）とを有し、
前記第２部分は、第２の光コネクタを前記光軸から離れる方向に移動させるとともに、前記第１の清掃機構を前記光軸に接近する方向に移動させることができ、
前記第３部分は、第２の光コネクタを前記第２の清掃機構に向かって移動させるとともに、前記第１の清掃機構を前記第１の光コネクタに向かって移動させることができるよう形成されていることを特徴とする請求項３に記載の光コネクタ接続装置。
【請求項５】
前記支持体は、前記コネクタ保持部、第１および第２の清掃機構を収容可能なケース状に形成されていることを特徴とする請求項１〜４のうちいずれか１項に記載の光コネクタ接続装置。
【請求項６】
前記移動機構は、前記コネクタ保持部（８２）および第１の清掃機構を支持する操作部（８７）であり、
前記操作部は、前記支持体（８５）に対し回転移動することによって、前記第２の光コネクタを第２の清掃機構により清掃可能な位置に導くとともに、前記第１の清掃機構を、第１の光コネクタを清掃可能な位置に導くことができるように形成されていることを特徴とする請求項１に記載の光コネクタ接続装置（８１）。
【発明の詳細な説明】
【技術分野】
【０００１】
本発明は、光コネクタ接続装置に関し、特に光コネクタの接続端面を清掃可能な清掃機構を備えた光コネクタ接続装置に関する。
【背景技術】
【０００２】
各種測定のため試験光を導入するなどの目的で、光コネクタどうしを突き合わせ接続させる光コネクタ接続装置が用いられている。
光コネクタの接続端面の汚れや異物は伝送損失などの原因になるため、光コネクタを接続するにあたっては、各光コネクタの接続端面を、光コネクタ清掃工具を用いて順次清掃することが行われている（例えば、特許文献１、２参照）。
【先行技術文献】
【特許文献】
【０００３】
【特許文献１】特開２００７−３３５４９号公報
【特許文献２】特開２００５−１８１９７１号公報
【発明の概要】
【発明が解決しようとする課題】
【０００４】
しかしながら、従来技術では、各光コネクタの接続端面を順次清掃する作業に手間がかかるという問題があった。
また、一方の光コネクタに清掃を施した後、他方の光コネクタの清掃を行う間に、作業終了後の光コネクタ端面に異物や汚れが付着するおそれがあった。
本発明は、前記事情に鑑みてなされたもので、光コネクタの清掃作業が容易であり、かつ光コネクタを確実に清浄化できる光コネクタ接続装置の提供を目的とする。
【課題を解決するための手段】
【０００５】
本発明の請求項１にかかる光コネクタ接続装置は、第１の光コネクタと第２の光コネクタとを接続する装置であって、前記第２の光コネクタを保持するコネクタ保持部と、前記第１の光コネクタの接続端面を清掃可能な第１の清掃機構と、前記第２の光コネクタの接続端面を清掃可能な第２の清掃機構と、前記コネクタ保持部、第１および第２の清掃機構を支持する支持体と、前記第２の光コネクタが第１の光コネクタに対し変位するように前記コネクタ保持部を移動させるとともに、これに連動して前記第１の清掃機構を移動させる移動機構と、を備え、前記移動機構は、前記コネクタ保持部の移動によって第２の光コネクタを第２の清掃機構により清掃可能な位置に配置するとともに、前記第１の清掃機構を、第１の光コネクタを清掃可能な位置に配置可能である光コネクタ接続装置である。
本発明の請求項２にかかる光コネクタ接続装置は、請求項１において、前記移動機構が、前記支持体に形成されたガイド部に沿って前記コネクタ保持部を移動させる操作部であり、前記ガイド部が、前記第２の光コネクタを第２の清掃機構により清掃可能な位置に導くとともに、前記第１の清掃機構を、第１の光コネクタを清掃可能な位置に導くことができるように形成されている光コネクタ接続装置である。
本発明の請求項３にかかる光コネクタ接続装置は、請求項２において、前記ガイド部が、前記コネクタ保持部に形成された案内凸部が嵌合するスリット状に形成され、前記操作部が、前記支持体に対するスライド移動により前記案内凸部を前記ガイド部に沿って移動可能に形成されている光コネクタ接続装置である。
本発明の請求項４にかかる光コネクタ接続装置は、請求項３において、前記ガイド部は、前記第１の光コネクタの光軸方向に沿う第１部分と、前記光軸方向に対し傾斜する第２部分と、前記光軸方向に平行な第３部分とを有し、前記第２部分は、第２の光コネクタを前記光軸から離れる方向に移動させるとともに、前記第１の清掃機構を前記光軸に接近する方向に移動させることができ、前記第３部分は、第２の光コネクタを前記第２の清掃機構に向かって移動させるとともに、前記第１の清掃機構を前記第１の光コネクタに向かって移動させることができるよう形成されている光コネクタ接続装置である。
本発明の請求項５にかかる光コネクタ接続装置は、請求項１〜４のうちいずれか１項において、前記支持体が、前記コネクタ保持部、第１および第２の清掃機構を収容可能なケース状に形成されている光コネクタ接続装置である。
本発明の請求項６にかかる光コネクタ接続装置は、請求項１において、前記移動機構が、前記コネクタ保持部および第１の清掃機構を支持する操作部であり、前記操作部が、前記支持体に対し回転移動することによって、前記第２の光コネクタを第２の清掃機構により清掃可能な位置に導くとともに、前記第１の清掃機構を、第１の光コネクタを清掃可能な位置に導くことができるように形成されている光コネクタ接続装置である。
【発明の効果】
【０００６】
本発明によれば、移動機構によって、第２の光コネクタを第２の清掃機構により清掃可能な位置に配置するとともに、第１の清掃機構を、第１の光コネクタを清掃可能な位置に配置可能であるので、一度の操作で第１および第２の光コネクタの接続端面を清掃でき、作業が容易である。
また、２つの光コネクタをひとつずつ清掃する場合には、一方の光コネクタの清掃作業の間に、清掃済みの他方の光コネクタに汚れの付着等が起きる可能性があるが、本発明ではこのような汚れの付着を回避できることから、各光コネクタを確実に清浄化できる。
【図面の簡単な説明】
【０００７】
【図１】本発明にかかる光コネクタ接続装置の第１の例の内部構造を示す正断面図である。
【図２】光コネクタ接続装置の正面図である。
【図３】光コネクタ接続装置の要部の断面図である。
【図４】光コネクタ接続装置の動作を示す説明図である。
【図５】光コネクタ接続装置の動作を示す説明図である。
【図６】光コネクタ接続装置の動作を示す説明図である。
【図７】清掃機構を示す図であり、（ａ）は斜視図、（ｂ）は側面図である。
【図８】清掃機構を示す図であり、（ａ）は斜視図、（ｂ）は側面図である。
【図９】清掃機構の要部を示す側面図である。
【図１０】清掃機構の要部を示す正面図である。
【図１１】清掃機構の要部を示す平面図である。
【図１２】清掃機構の要部を示す平面図である。
【図１３】清掃機構の要部を示す斜視図である。
【図１４】清掃機構の要部を示す図であり、（ａ）はギアの平面図、（ｂ）は正断面図である。
【図１５】光コネクタ接続装置の他の例を示す断面図である。
【図１６】本発明にかかる光コネクタ接続装置の第２の例を示す正断面図である。
【図１７】光コネクタ接続装置の動作を示す説明図である。
【発明を実施するための形態】
【０００８】
以下、図１〜図３を参照して本発明の実施形態を説明する。
図１は、本発明にかかる光コネクタ接続装置の第１の例である光コネクタ接続装置１の内部構造を示す正断面図である。図２は、光コネクタ接続装置１の正面図である。図３は、光コネクタ接続装置１の要部の断面図である。
図１に示すように、光コネクタ接続装置１は、光コネクタアダプタ５０を介して第１の光コネクタ１０と第２の光コネクタ２０とを接続する装置であって、第２の光コネクタ２０を保持するコネクタ保持部２と、第１の清掃機構３と、第２の清掃機構４と、これらを支持する支持体５と、コネクタ保持部２を移動させる移動機構６とを備えている。
【０００９】
図３に示すように、コネクタ保持部２は、第２の光コネクタ２０を内部に保持する筒状の本体部１１と、本体部１１の側面に形成された案内凸部１２とを有する。
本体部１１には、後述する清掃機構支持部１５の側板１６が挿入される溝部１３が形成されており、コネクタ保持部２は、側板１６が溝部１３に挿入された状態で側板１６に沿って移動可能とされている。すなわち、図１に示すように、清掃機構支持部１５に対して、側板１６に沿って左右に移動可能である。
コネクタ保持部２は、溝部１３内に形成された凹部１３ａに側板１６の先端の先端凸部１６ａが嵌合することによって清掃機構支持部１５から脱落しないようになっている。
【００１０】
図７（ａ）および図７（ｂ）に示すように、第２の清掃機構４は、支持体２１と、本体部２２と、本体部２２を前方に付勢する付勢手段２３とを有する。
図１１に示すように、支持体２１は、基板３０と、基板３０内面に形成された挿入凸部３１と、基板３０に形成された鋸歯状のギア受け部３２とを備えている。
支持体２１は、支持体５に係止または固定され、後述の本体部２２の移動の際に移動しないことが好ましい。
【００１１】
図７（ａ）および図７（ｂ）に示すように、本体部２２は、ヘッド部材２４と、ヘッド部材２４を収容するガイド筒部２５と、清掃体２６の供給および巻き取りを行う送り機構２７と、ヘッド部材２４を回転させる回転機構２８と、これらを収容するケース体２９を備えている。
図９に示すように、回転機構２８は、軸回りに回転可能な円筒状の回転筒部３４を備えている。回転筒部３４の先端には、ヘッド部材２４を装着できる。
回転筒部３４の外面には、支持体２１の挿入凸部３１が挿入されるカム溝３５が形成されている。図示例では、カム溝３５は螺旋状に形成されている。
【００１２】
図９および図１０に示すように、ヘッド部材２４は、先端面２４ｂにおいて清掃体２６を第２の光コネクタ２０の接続端面に押し当てることができるように形成されている。ヘッド部材２４の先端面には、清掃体２６をガイドするガイド溝２４ａが形成されていることが好ましい。ヘッド部材２４の長さ方向中間部にはフランジ部３６が形成されている。
図９における符号３７は、回転筒部３４とフランジ部３６との間に設けられてヘッド部材２４を先端方向に付勢する付勢手段（例えばコイルスプリング）である。
【００１３】
図１０、図１２、図１３に示すように、ヘッド部材２４には、供給リール４０から引き出された清掃体２６が巻き回されている。清掃体２６は、供給リール４０からヘッド部材２４の先端面を経由して巻取リール４１に達している。
清掃体２６は、特に限定されるものではなく、公知の適当な不織布や織布を糸状、テープ状等に加工したものを採用することができ、例えば、ポリエステルやナイロンなどの繊維で構成されたものを例示できる。
【００１４】
図１２〜図１４に示すように、送り機構２７は、清掃体２６を巻装した供給リール４０と、使用後の清掃体２６を巻き取って回収する巻取リール４１と、これらが回転可能に装着される支持部４２と、巻取リール４１に装着されるギア４３とを備えている。
ギア４３は、円板状の基板４４を有し、基板４４の一方面に歯車部４５が形成され、他方の面に巻取リール４１の係止凸部４１ａに係止する係止突起４４ａが形成されている。
歯車部４５は、歯部４５ａが、支持体２１のギア受け部３２の受け歯部３２ａに噛み合うように形成されている。
ギア４３は、係止突起４４ａが巻取リール４１の係止凸部４１ａに係止するため、ギア４３の回転に従って巻取リール４１も回転する。係止突起４４ａは、ギア３３が巻き取り方向とは逆の方向に回転する場合には、係止凸部４１ａには係止しないように形成されている。
【００１５】
図１に示すように、第１の清掃機構３は、清掃機構支持部１５内に設けられている。
清掃機構支持部１５は、矩形状の底板１７とその周縁に立設された側板１６とを有し、側板１６にはコネクタ保持部２が係止している。このため、図１において、コネクタ保持部２が上下方向に移動する際には、これに連動して第１の清掃機構３も同方向に移動する。
第１の清掃機構３は、第２の清掃機構４と同じ構成とすることができる。
【００１６】
支持体５は、底板５１と、その側縁に立設された側板５２とを有する概略ケース状に形成されている。支持体５は、コネクタ保持部２と、第１の清掃機構３と、第２の清掃機構４とを収容可能に構成すると、異物等の侵入を防ぎ、光コネクタ１０、２０の接続端面を清浄に保つことができるため好ましい。
図１に示す状態においては、底板５１の一側部領域５１ａ（図１における上部）に清掃機構支持部１５および第１の清掃機構３が配置され、他側部領域５１ｂ（図１における下部）に第２の清掃機構４が配置され、これらの中間の領域５１ｃにコネクタ保持部２が配置されている。
【００１７】
図１および図２に示すように、底板５１には、コネクタ保持部２をガイドするスリット状のガイド部５５が形成されている。
図３に示すように、ガイド部５５は、コネクタ保持部２の案内凸部１２が嵌合するように形成されている。なお、ガイド部５５は溝状に形成することもできる。
【００１８】
図１および図２に示すように、ガイド部５５は、第１の光コネクタ１０の光軸１０ａ方向（図１および図２における左右方向）に沿って延出する第１部分５６と、光軸１０ａ方向に対し傾斜して延出する第２部分５７と、光軸１０ａ方向とほぼ平行な第３部分５８とを有する。
【００１９】
第１部分５６は、光軸１０ａに沿って形成されているため、第２の光コネクタ２０が第１の光コネクタ１０に対し接近および離間する方向にコネクタ保持部２を移動させることができる。
第２部分５７は、第１部分５６の延出端部５６ａ（後端部）から第１部分５６に対し傾斜して延出している。第１部分５６に対する第２部分５７の傾斜角度θ（図１参照）は、９０度未満が好ましい。
第２部分５７の延出方向は、図１および図２における斜め下方であるため、この延出方向に沿ってコネクタ保持部２を移動させると、第２の光コネクタ２０を光軸１０ａから離間させるとともに、第１の清掃機構３を光軸１０ａに接近させることができる。
【００２０】
第３部分５８は、第２部分５７の延出端部５７ａから、図１および図２における左方に延出して形成されている。
第３部分５８は、第２の光コネクタ２０を第２の清掃機構４に向かって移動させるとともに、第１の清掃機構３を第１の光コネクタ１０に向かって移動させることができるよう形成されている。
【００２１】
移動機構６は、基板部６１と、その周縁に立設された側板部６２とを有する操作部６０である。操作部６０は、支持体５の少なくとも一部を収容可能に形成することができる。
図２および図３に示すように、支持体５の底板５１の外面５１ａ側に、底板５１に沿って設けられた基板部６１には、コネクタ保持部２の案内凸部１２が嵌合可能なスリット状の押圧部６３が形成されている。
押圧部６３は、第２の光コネクタ２０の光軸１０ａ方向に対し交差する方向に形成された主部６４と、主部６４の端部から主部６４に垂直に形成された延出部６５とを有する。図示例では、主部６４は光軸１０ａ方向に対し垂直とされ、押圧部６３はＬ字状になっている。押圧部６３は、案内凸部１２が押圧部６３の長さ方向に移動可能となるように形成することができる。
【００２２】
操作部６０は、支持体５に対しスライド移動可能とするのが好ましい。図示例では、支持体５の側板５２に沿って、図１および図２における左右方向に移動可能とされている。
操作部６０は、左右方向のスライド移動によって、押圧部６３は案内凸部１２を図１および図２における左右方向に押圧し、これによりコネクタ保持部２をガイド部５５に沿って移動させることができる。
【００２３】
次に、光コネクタ接続装置１の動作について説明する。
図１および図２に示す状態では、第２の光コネクタ２０は第１の光コネクタ１０に突き合わせ接続されている。この状態では、第１の光コネクタ１０の光軸１０ａと光コネクタ２０の光軸２０ａとは一致している。
図４（ａ）に示すように、操作部６０を右方向にスライド移動させると、押圧部６３の主部６４の内縁が案内凸部１２を右方向に押圧し、コネクタ保持部２をガイド部５５の第１部分５６に沿って移動させる。この際、コネクタ保持部２は、清掃機構支持部１５の側板１６に沿って移動する（図１参照）。これによって、第２の光コネクタ２０は第１の光コネクタ１０から離間する。
【００２４】
図４（ｂ）および図４（ｃ）に示すように、案内凸部１２が延出端部５６ａに達した後に、さらに操作部６０を右方向に移動させると、案内凸部１２は第２部分５７に沿って移動する。第２部分５７は光軸１０ａ方向に対し傾斜しているため、コネクタ保持部２は光軸１０ａから離間する方向に移動する。この際、案内凸部１２は主部６４に沿って移動する。
【００２５】
図５に示すように、第１の清掃機構３はコネクタ保持部２と連動して、光軸１０ａに近づく方向に移動する。
案内凸部１２が第２部分５７の延出端部５７ａに到達した状態で（図４（ｃ）参照）、第２の光コネクタ２０の光軸２０ａ方向は第２の清掃機構４のヘッド部材２４の軸方向に一致する。
また、第１の清掃機構３のヘッド部材２４の軸方向は第１の光コネクタ１０の光軸１０ａ方向に一致する。
【００２６】
図４（ｄ）、図４（ｅ）、図６に示すように、操作部６０を左方に移動させると、案内凸部１２は延出部６５の端縁によって左方に押圧され、コネクタ保持部２は左方に移動する。
これによって、第２の光コネクタ２０は光軸２０ａに沿って第２の清掃機構４に接近し、第２の清掃機構４により清掃可能な位置に達する。
この際、コネクタ保持部２の移動に伴って、第１の清掃機構３は第１の光コネクタ１０に接近し、第１の光コネクタ１０を清掃可能な位置に達する（図６参照）。
【００２７】
図７（ａ）および図７（ｂ）に示すように、第２の光コネクタ２０の接続端面２０ｂは、ガイド筒部２５内のヘッド部材２４の先端面２４ｂに突き合わせられた状態となる。この状態で、清掃体２６は第２の光コネクタ２０の接続端面２０ｂに当接する。
図８（ａ）および図８（ｂ）に示すように、操作部６０をさらに左方に移動させると、第２の光コネクタ２０に押されて第２の清掃機構４の本体部２２は左方に移動する一方、支持体５に係止した支持体２１は移動しない。
図７（ｂ）および図９に示すように、回転筒部３４は挿入凸部３１がカム溝３５に挿入された状態で移動することから、カム溝３５に沿って周方向に回転する。回転筒部３４の回転によってヘッド部材２４は軸回りに回転し、清掃体２６は接続端面２０ｂに当接した状態のままヘッド部材２４の軸回りに回転し、接続端面２０ｂが拭き取り清掃される。
【００２８】
図１３および図１４に示すように、本体部２２が支持体２１に対し移動するため、ギア受け部３２によって、ギア４３の歯車部４５に回転方向の力が与えられる。ギア４３の回転によって、巻取リール４１も回転するため、清掃体２６が巻き取られる。
これに伴って、清掃体２６が供給リール４０から引き出され、ヘッド部材２４の先端面２４ｂを通って送り移動される。清掃体２６の送り移動によって、接続端面２０ｂに付着している異物や汚れが確実に拭き取られる。
【００２９】
図４（ｄ）、図４（ｅ）、図６に示す操作部６０の左方移動によって第２の清掃機構４が第２の光コネクタ２０の接続端面２０ｂを清掃するのと同時に、第１の清掃機構３も左方移動するため、同様にして第１の清掃機構３のヘッド部材２４の清掃体２６が第１の光コネクタ１０の接続端面を拭き取り清掃する。
【００３０】
光コネクタ１０、２０の清掃作業後は、操作部６０を前記とは逆の方向に移動させてコネクタ保持部２を第３部分５８、第２部分５７、第１部分５６を経て図１に示す位置に戻すことによって、再び第２の光コネクタ２０を第１の光コネクタ１０に突き合わせ接続させることができる。これによって、各種測定のため光コネクタ１０または光コネクタ２０に試験光を導入することができるようになる。
【００３１】
光コネクタ接続装置１は、操作部６０によりコネクタ保持部２を移動させることによって、第２の光コネクタ２０を第２の清掃機構４により清掃可能な位置に配置するとともに、第１の清掃機構３を、第１の光コネクタ１０を清掃可能な位置に配置可能である。
このため、一度の操作で光コネクタ１０、２０の接続端面を清掃でき、作業が容易である。
また、２つの光コネクタをひとつずつ清掃する場合には、一方の光コネクタの清掃作業の間に、清掃済みの他方の光コネクタに汚れの付着等が起きる可能性があるが、光コネクタ接続装置１ではこのような汚れの付着を回避できることから、光コネクタ１０、２０を確実に清浄化できる。
【００３２】
図１５は、光コネクタ接続装置１の変形例を示すもので、この例では、支持体５の側板５２と清掃機構支持部１５との間にコイルスプリングなどの付勢手段７０が設けられている。付勢手段７０は、清掃機構支持部１５をこの図における上方に付勢するものである。
付勢手段７０を設けることによって、清掃作業後、コネクタ保持部２を第３部分５８から第２部分５７を経て第１部分５６に導くのが容易になる。
【００３３】
次に、本発明にかかる光コネクタ接続装置の第２の例について説明する。
図１６に示すように、光コネクタ接続装置８１は、第２の光コネクタ２０を保持するコネクタ保持部８２と、第１の清掃機構３と、第２の清掃機構４と、これらを支持する支持体８５と、コネクタ保持部８２を移動させる移動機構８６とを備えている。
コネクタ保持部８２は、図１〜図３に示すコネクタ保持部２と同様の構成を採用してもよいし、汎用のクランプ手段を利用してもよい。
【００３４】
移動機構８６は、コネクタ保持部８２および第１の清掃機構３を支持するものであり、例えばコネクタ保持部８２および第１の清掃機構３を収容可能なケース状の操作部８７である。
操作部８７は、コネクタ保持部８２と第１の清掃機構３との間に設けられた回転軸８８を中心として回動可能とされ、かつ光コネクタ２０を光コネクタ１０に対し接近および離間する方向（図１６における左右方向）に移動可能である。回転軸８８の方向は、光コネクタ１０、２０の光軸１０ａ、２０ａに平行とすることができる。
図１６に示す状態では、操作部８７は右方移動位置にあり、第２の光コネクタ２０は、第１の光コネクタ１０に対向する位置にあるが第１の光コネクタ１０から離間している。第１の清掃機構３は、第２の清掃機構４に対向する位置にある。
【００３５】
図１７に示すように、操作部８７を、回転軸８８を中心として１８０度回転させることで、第２の光コネクタ２０を第２の清掃機構４に対向する位置に配置するとともに、第１の清掃機構３を第１の光コネクタ１０に対向する位置に配置することができる。
操作部８７を左方移動させることによって、上述の過程によって、第２の清掃機構４が第２の光コネクタ２０を清掃するとともに、第１の清掃機構３が第１の光コネクタ１０を清掃する。
清掃作業後は、操作部８７を右方移動させて清掃機構３、４と光コネクタ１０、２０とを離間させ、回転軸８８を中心として１８０度回転させることによって、再び光コネクタ１０、２０を突き合わせ接続させることができる。
【００３６】
第２の例の光コネクタ接続装置８１においても、第１の例の光コネクタ接続装置１と同様に、一度の操作で光コネクタ１０、２０の接続端面を清掃できるため、作業が容易である。また、光コネクタ１０、２０を確実に清浄化できる。
【符号の説明】
【００３７】
１、８１・・・光コネクタ接続装置、２、８２・・・コネクタ保持部、３・・・第１の清掃機構、４・・・第２の清掃機構、５、８５・・・支持体、６、８６・・・移動機構、１０・・・第１の光コネクタ、１０ａ・・・第１の光コネクタの接続端面、１２・・・案内凸部、２０・・・第２の光コネクタ、２０ａ・・・第２の光コネクタの接続端面、５５・・・ガイド部、５６・・・第１部分、５７・・・第２部分、５８・・・第３部分、６０、８７・・・操作部。
【図１】
2010186041.tif 000003
【図２】
2010186041.tif 000004
【図３】
2010186041.tif 000005
【図４】
2010186041.tif 000006
【図５】
2010186041.tif 000007
【図６】
2010186041.tif 000008
【図７】
2010186041.tif 000009
【図８】
2010186041.tif 000010
【図９】
2010186041.tif 000011
【図１０】
2010186041.tif 000012
【図１１】
2010186041.tif 000013
【図１２】
2010186041.tif 000014
【図１３】
2010186041.tif 000015
【図１４】
2010186041.tif 000016
【図１５】
2010186041.tif 000017
【図１６】
2010186041.tif 000018
【図１７】
2010186041.tif 000019